(57)【要約】【課題】高品質な通信性能を発揮することができる通信機器及び通信機器の制御方法を提供すること。【解決手段】第１の通信先と第１の通信速度で通信する第１の通信部６１１と、第２の通信先と第１の通信速度よりも低速の第２の通信速度で通信する第２の通信部６１０とを備える複合チップと、複合チップ６１に接続され、第１の通信速度又は第２の通信速度に対応する速度に複合チップ６１との間における通信速度を設定する制御部６０と、を有し、制御部６０は、第１の通信部６１０と第１の通信先との通信の際に、第１の通信速度に対応する速度に複合チップ６１との間における通信速度を設定し、第２の通信部６１０と第２の通信先との通信の際に、第２の通信速度に対応する速度に複合チップ６１との間における通信速度を設定する。【選択図】図２
2010278687.tif 000002
【特許請求の範囲】
【請求項１】
第１の通信先と第１の通信速度で通信する第１の通信部と、第２の通信先と前記第１の通信速度よりも低速の第２の通信速度で通信する第２の通信部とを備える複合チップと、
前記複合チップに接続され、前記第１の通信速度又は前記第２の通信速度に対応する速度に前記複合チップとの間における通信速度を設定する制御部と、を有し、
前記制御部は、前記第１の通信部と前記第１の通信先との通信の際に、前記第１の通信速度に対応する速度に前記複合チップとの間における通信速度を設定し、前記第２の通信部と前記第２の通信先との通信の際に、前記第２の通信速度に対応する速度に前記複合チップとの間における通信速度を設定することを特徴とする通信機器。
【請求項２】
外部記憶装置の着脱が可能な装着部を有し、
前記第２の通信部は、前記第２の通信先としての前記装着部に装着された前記外部記憶装置と前記第２の通信速度で通信を行い、
前記制御部は、前記第１の通信速度に対応する速度に前記複合チップとの間における通信速度が設定されている場合に、前記外部記憶装置が装着されると、前記第２の通信速度に対応する速度に前記複合チップとの間の通信速度の設定を切り替えることを特徴とする請求項１記載の通信機器。
【請求項３】
前記制御部は、前記第１の通信先と前記複合チップとの間で通信が行われており、前記装着部に前記外部記憶装置が装着された場合には、前記第１の通信先と前記複合チップとの間の通信が終了した後に、前記第２の通信速度に対応する速度に前記複合チップとの間の通信速度の設定を切り替える請求項２記載の通信機器。
【請求項４】
前記第２の通信部は、前記第２の通信速度で前記第２の通信先と近距離通信が可能であり、
前記制御部は、前記第１の通信速度に対応する速度に前記複合チップとの間における通信速度が設定されている場合に、前記第２の通信先を検出すると前記複合チップとの間における通信速度を前記第２の通信速度に対応する速度に切り替えることを特徴とする請求項１記載の通信機器。
【請求項５】
前記制御部は、予め設定された速度から異なる速度に切り替えられてから所定時間経過後に、切り替えられた設定を、予め設定された速度に再び切り替える請求項２から請求項４のいずれか１項に記載の通信機器。
【請求項６】
第１の通信先と第１の通信速度で通信すると共に、第２の通信先と前記第１の通信先よりも低速な第２の通信速度で通信する複合チップと、
前記複合チップに接続され、前記複合チップと所定速度で通信を行う制御部と、を備え、
前記制御部は、前記複合チップが前記第１の通信先と前記第１の通信速度で通信する場合、前記複合チップと前記第１の通信速度で通信し、
前記複合チップが前記第２の通信先と前記第２の通信速度で通信する場合、前記複合チップと前記第２の通信速度で通信することを特徴とする通信機器。
【請求項７】
第１の通信先と第１の通信速度で通信すると共に、第２の通信先と前記第１の通信速度よりも低速な第２の通信速度で通信する複合チップと、前記複合チップに接続され、前記複合チップと所定速度で通信を行う制御部と、を備える通信機器の制御方法であって、
前記複合チップが前記第１の通信先と通信する際には、前記制御部と前記複合チップの間の通信速度を前記第１の通信速度に対応する速度に設定し、
前記複合チップが前記第２の通信先と通信する際には、前記制御部と前記複合チップの間の通信速度を前記第２の通信速度に対応する速度に設定することを特徴とする通信機器の制御方法。
【発明の詳細な説明】
【技術分野】
【０００１】
本発明は、複合チップに対してバスアクセスを行う通信機器及び通信機器の制御方法に関する。
【背景技術】
【０００２】
従来より、通信機器は、ＣＰＵから複数のデバイスに対して複数の通信速度でバスアクセスが行われている。この際、バスアクセスのアクセス速度は、接続されるデバイスの中で、最も低速な通信速度に設定されている（特許文献１参照）。
【先行技術文献】
【特許文献】
【０００３】
【特許文献１】特開２０００−２５７５０１号公報
【発明の概要】
【発明が解決しようとする課題】
【０００４】
しかし、特許文献１に開示される通信機器は、最も低速の通信速度に設定されているために、それ以上の速度で通信を行うことができる他のデバイスに対しても低速の通信速度で通信を行わなければならなかった。また、通信機器は、通信先に合わせた好適な通信を行うために、専用のデバイスを通信速度毎に設けることもできるが、制御が複雑になるという問題がある。
【０００５】
本発明は、高品質な通信性能を発揮することができる通信機器及び通信機器の制御方法を提供することを目的とする。
【課題を解決するための手段】
【０００６】
本発明に係る通信機器は、第１の通信先と第１の通信速度で通信する第１の通信部と、第２の通信先と前記第１の通信速度よりも低速の第２の通信速度で通信する第２の通信部とを備える複合チップと、前記複合チップに接続され、前記第１の通信速度又は前記第２の通信速度に対応する速度に前記複合チップとの間における通信速度を設定する制御部と、を有し、前記制御部は、前記第１の通信部と前記第１の通信先との通信の際に、前記第１の通信速度に対応する速度に前記複合チップとの間における通信速度を設定し、前記第２の通信部と前記第２の通信先との通信の際に、前記第２の通信速度に対応する速度に前記複合チップとの間における通信速度を設定する。
【０００７】
また、上記通信機器は、外部記憶装置の着脱が可能な装着部を有し、前記第２の通信部は、前記第２の通信先としての前記装着部に装着された前記外部記憶装置と前記第２の通信速度で通信を行い、前記制御部は、前記第１の通信速度に対応する速度に前記複合チップとの間における通信速度が設定されている場合に、前記外部記憶装置が装着されると、前記第２の通信速度に対応する速度に前記複合チップとの間の通信速度の設定を切り替えることが好ましい。
【０００８】
また、前記制御部は、前記第１の通信先と前記複合チップとの間で通信が行われており、前記装着部に前記外部記憶装置が装着された場合には、前記第１の通信先と前記複合チップとの間の通信が終了した後に、前記第２の通信速度に対応する速度に前記複合チップとの間の通信速度の設定を切り替えることが好ましい。
【０００９】
また、上記通信機器は、前記第２の通信部は、前記第２の通信速度で前記第２の通信先と近距離通信が可能であり、前記制御部は、前記第１の通信速度に対応する速度に前記複合チップとの間における通信速度が設定されている場合に、前記第２の通信先を検出すると前記複合チップとの間における通信速度を前記第２の通信速度に対応する速度に切り替えることが好ましい。
【００１０】
また、前記制御部は、予め設定された速度から異なる速度に切り替えられてから所定時間経過後に、切り替えられた設定を、予め設定された速度に再び切り替えることが好ましい。
【００１１】
また、本発明に係る通信機器は、第１の通信先と第１の速度で通信すると共に、第２の通信先と第１の通信先よりも低速な第２の通信速度で通信する複合チップと、前記複合チップに接続され、前記複合チップと所定速度で通信を行う制御部と、を備え、前記制御部は、前記複合チップが前記第１の通信先と前記第１の通信速度で通信する場合、前記複合チップと前記第１の通信速度で通信し、前記複合チップが前記第２の通信先と前記第２の通信速度で通信する場合、前記複合チップと前記第２の通信速度で通信することを特徴とする。
【００１２】
また、本発明に係る通信機器の制御方法は、第１の通信先と第１の通信速度で通信すると共に、第２の通信先と前記第１の通信速度よりも低速な第２の通信速度で通信する複合チップと、前記複合チップに接続され、前記複合チップと所定速度で通信を行う制御部と、を備える通信機器の制御方法であって、前記複合チップが前記第１の通信先と通信する際には、前記制御部と前記複合チップの間の通信速度を前記第１の通信速度に対応する速度に設定し、前記複合チップが前記第２の通信先と通信する際には、前記制御部と前記複合チップの間の通信速度を前記第２の通信速度に対応する速度に設定する。
【発明の効果】
【００１３】
本発明によれば、高品質な通信性能を発揮することができる通信機器及び通信機器の制御方法を提供することができる。
【図面の簡単な説明】
【００１４】
【図１】本発明に係る携帯電話装置の外観を示す図である。
【図２】本発明に係る携帯電話装置の機能を示す機能ブロック図である。
【図３】ＣＰＵと複合チップとの間の通信の流れを示すフローチャートである。
【図４】図３のステップＳ４における複合チップへのバスアクセスを示すフローチャートである。
【図５】図３のステップＳ７における複合チップへのバスアクセスを示すフローチャートである。
【発明を実施するための形態】
【００１５】
以下、本発明の実施の形態について説明する。図１は、本発明に係る携帯電話装置の外観を示す図である。図１に示すように、携帯電話装置１は、フロントケース２ａとリアケース２ｂとにより外面が形成される操作部側筐体部２と、フロントケース３ａとリアケース３ｂとにより外面が形成される表示部側筐体部３と、操作部側筐体部２と表示部側筐体部３とを連結するヒンジ機構４と、を備えて構成される。
【００１６】
操作部側筐体部２は、フロントケース２ａの表面側に露出するように配設される操作ボタン群１１と音声入力部１２とを有して構成される。操作ボタン群１１は、各種設定や電話帳機能やメール機能等の各種機能を作動させるための機能設定操作ボタン１３と、数字や文字が割り当てられ、電話番号入力時やメール作成時等における文字入力時に用いられる入力操作ボタン１４と、各種操作における決定やスクロール等を行う決定操作ボタン１５と、から構成されている。また、操作部側筐体部２の側面には、イヤホンコネクタキャップ１６と、外部メモリ５（外部記憶装置）と通信を行うためのインターフェース２４（以下、外部メモリスロットという。）を覆うキャップ１７とが設けられている。なお、音声入力部１２は、携帯電話装置１の使用者が通話時に発した音声を入力するために用いられる。
【００１７】
表示部側筐体部３は、各種情報を表示するためのディスプレイ２１と、通話の相手側の音声を出力する音声出力部２２とを有して構成される。また、表示部側筐体部３の上端部には、他の携帯電話装置等との間で赤外線通信を行うための通信部２３が設けられている。
【００１８】
ヒンジ機構４は、操作部側筐体部２と表示部側筐体部３とが相対的に動くようにこれらを連結しており、操作部側筐体部２と表示部側筐体部３とが互いに開いた使用状態（開放状態）と、操作部側筐体部２の表面と表示部側筐体部３の表面とが互いに向き合った格納状態（折畳み状態）とに切り換えることができるように構成されている。なお、本実施形態においては、通信機器の一例としてヒンジ機構４を介して操作部側筐体部２と表示部側筐体部３とが相対的に動く、いわゆる折り畳み式の携帯電子装置１を挙げているが、本発明は、折り畳み式ではなく、操作部側筐体部２と表示部側筐体部３とを重ね合わせた状態から一方の筐体を一方向にスライドさせるようにしたスライド式や、重ね合せ方向に沿う軸線を中心に一方の筐体を回転させるようにした回転式や、操作部側筐体部２と表示部側筐体部３とを２軸ヒンジを介して連結したもの、さらには、操作部側筐体部２と表示部側筐体部３とが１つの筐体に配置されたもの（いわゆる、ストレートタイプ）、フリップを備えたフリップタイプであっても適用可能である。
【００１９】
このように構成することにより、携帯電話装置１は、高品質な通信性能を発揮することができる機能を有している。
【００２０】
まず、本発明の実施形態１について図２を用いて説明する。携帯電話装置１は、図２に示すように、外部メモリスロット２４（装着部）と、複合チップ６１と、ＣＰＵ６０（制御部）とを備える。外部メモリスロット２４は、外部メモリ５の着脱が可能に構成される。この外部メモリ５には、本実施形態においては、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）のコピー制御方式に準拠して暗号化されたデータ（ＣＰＲＭデータ）が格納できる。
【００２１】
複合チップ６１は、赤外線処理部６１１（第１の通信部）及びデータ処理部６１０（第２の通信部）を有する。赤外線処理部６１１は、赤外線通信装置（第１の通信先）と第１の通信速度又は第１の通信速度よりも低速な第２の通信速度で通信する。この赤外線処理部６１１においては、例えば、赤外線信号をデジタル信号化する等の信号の変換処理が行われる。
【００２２】
データ処理部６１０は、外部メモリスロット２４に装着された外部メモリ５（第２の通信先）と第２の通信速度で通信する。このデータ処理部６１０は、ＣＰＲＭデータの復号化等の処理を行う。なお、複合チップ６１に対しては、図２に示すように、赤外線通信装置との通信（第１の通信速度）は中速であり、外部メモリ５との通信（第２の通信速度）は低速とされる。これは、ＣＰＲＭデータの暗号化や復号化の処理を行わなければいけないという理由に起因する。
【００２３】
ＣＰＵ６０は、複合チップ６１に接続される。また、ＣＰＵ６０は、第１の通信部又は第２の通信部が第１の通信先又は第２の通信先と通信する際の第１の通信速度又は第２の通信速度に対応する速度に複合チップ６１との間における通信速度の設定が可能に構成される。
【００２４】
また、ＣＰＵ６０は、予め第１の通信速度に対応する速度に複合チップ６１との間における通信速度が設定されている。この状態で、ＣＰＵ６０は、外部メモリ５が外部メモリスロット２４に装着された場合に、第２の通信速度に対応する速度に複合チップ６１との間の通信速度の設定を切り替える。つまり、ＣＰＵ６０は、第１の通信速度に対応する速度に初期設定がされる。そして、ＣＰＵ６０は、外部メモリ５が外部メモリスロット２４に装着されたことをトリガとして、通信速度の設定の切り替えを行う。なお、外部メモリ５の外部メモリスロット２４へ装着は、ＣＰＵ６０に設けられる検出部６００により、外部メモリスロット２４への外部メモリ５の装着を検出することにより行われる。
【００２５】
このように構成されることにより、携帯電話装置１は、複数の通信速度が異なる通信先がある場合において、それぞれの通信先において好適な通信を行うことができ、高品質な通信性能を確保することができる。この際、複数の通信速度が異なる通信先に対する通信速度の設定は、初期設定から特定のトリガにより、設定を切り替えるために、複雑な制御を組み込む必要がない。また、携帯電話装置１は、１のチップ（複合チップ）により通信を行うために、部品点数が少なく、装置を小型化することができる。
【００２６】
また、携帯電話装置１は、図２に示すように、ＣＰＵ６０により、赤外線通信装置と複合チップ６１との間で通信が行われており、外部メモリスロット２４に外部メモリ５が装着された場合には、赤外線通信装置と複合チップとの間の通信が終了した後に、第２の通信速度に対応する速度に複合チップとの間の通信速度の設定を切り替えても良い。
【００２７】
このように構成されることにより、携帯電話装置１は、赤外線通信装置との通信中において、外部メモリ５が外部メモリスロット２４に装着された場合でも、即座に通信を行わずに、赤外線通信装置との通信が終了した後に、外部メモリ５との通信を行う。このため、携帯電話装置１では、複数の通信先との通信においても通信の競合が生じることがないために、複雑な制御を組み込む必要がない。
【００２８】
次に、本発明の実施形態２について説明する。なお、本発明の実施形態１では、第１の通信部が赤外線処理部６１１、第２の通信部がデータ処理部６１０を示していたが、本発明の実施形態２では、第１の通信部がＬＣＤＣ６１２、第２の通信部が赤外線処理部６１１を示す。携帯電話装置１は、検出部６００において、赤外線通信装置の通信を検出するように構成しても良い。赤外線通信装置との通信は、赤外線信号を検出することにより行う。
【００２９】
このように構成した場合、複合チップ６１には、赤外線処理部６１１（第２の通信部）と、ＬＣＤＣ６１２（ＬＣＤコントローラ、第１の通信部）とを備える。
【００３０】
赤外線処理部６１１は、赤外線通信装置と第２の通信速度で、近距離通信が可能に構成される。ＬＣＤＣ６１２は、ＬＣＤ（液晶ディスプレイ、Ｌｉｑｕｉｄ  Ｃｒｙｓｔａｌ  Ｍｏｎｉｔｏｒ、第１の通信先）と第２の通信速度又は第２の通信速度よりも高速の第１の通信速度により通信する。
【００３１】
ＣＰＵ６０は、予め第１の通信速度に対応する速度に複合チップ６１との間における通信速度を設定し、赤外線通信装置との通信を検出した場合に複合チップ６１との間における通信速度に対応する速度に切り替える。
【００３２】
また、複合チップ６１に対しては、図２に示すように、赤外線通信装置との通信（第２の通信速度）は中速であり、ＬＣＤとの通信（第１の通信速度）は高速とされる。これは、赤外線通信が赤外線を送受信するものであることや、ＬＣＤとの通信が送信のみであることの理由に起因する。
【００３３】
なお、切り替えられる速度は、赤外線通信装置との通信を検出した場合に限られない。外部メモリ５が外部メモリスロット２４に装着されたことを検出することにより切り替えても良い。
【００３４】
また、近距離通信は、赤外線通信に限られず、Ｂｌｕｅｔｏｏｔｈ（登録商標）による通信等も含まれる。
【００３５】
このように構成されることにより、携帯電話装置１は、複数の通信速度が異なる通信先がある場合において、それぞれの通信先において好適な通信を行うことができ、高品質な通信性能を確保することができる。この際、複数の通信速度が異なる通信先に対する通信速度の設定は、初期設定から特定のトリガにより、設定を切り替えるために、複雑な制御を組み込む必要がない。また、携帯電話装置１は、１のチップ（複合チップ）により通信を行うために、部品点数が少なく、装置を小型化することができる。
【００３６】
また、携帯電話装置１は、ＣＰＵ６０により、予め設定された速度から異なる速度に切り替えられてから所定時間経過後に、切り替えられた設定を予め設定された速度に再び切り替えるようにしても良い。
【００３７】
このように構成されることにより、携帯電話装置１は、使用頻度の高い通信速度を初期設定にした場合において、一時的な通信により初期設定から異なる通信速度に設定が切り替わっても、設定が切り替わってから所定時間経過後（タイムアウト後）に、再び初期設定に切り替わるために、利便性を損なうことがない。
【００３８】
また、携帯電話装置１は、ＣＰＵ６０により、通信を行う通信先に対応する速度に設定を切り替えるように構成しても良い。この際、検出部６００は、さらに、図２中に速度が示される高速のＬＣＤの通信及び超高速のＵＳＢ等の通信を検出する。なお、超高速の通信速度により行われる通信（ＵＳＢ等の通信）とは、例えば、超高速設定におけるＵＳＢケーブルを介した通信や、コンポーネントケーブルを介したテレビ出力等である。
【００３９】
このように構成されることにより、携帯電話装置１は、複数の通信速度が異なる通信先がある場合において、それぞれの通信先において好適な通信を行うことができ、高品質な通信性能を確保することができる。また、携帯電話装置１は、１のチップ（複合チップ）により通信を行うために、部品点数が少なく、装置を小型化することができる。
【００４０】
ここで、本発明の実施形態１の携帯電話装置１における通信処理について、図３に示すフローチャートを参照しながら説明する。図３は、ＣＰＵ６０と複合チップ６１との間の通信の流れを示すフローチャートである。
【００４１】
ステップＳ１において、ＣＰＵ６０は、初期設定を行う。初期設定では、ＣＰＵ６０は、複合チップ６１へのバスアクセスのＡＣスペック（アクセス速度）を赤外線通信装置との通信速度（中速）に対応する速度に設定する。
【００４２】
ステップＳ２において、ＣＰＵ６０は、検出部６００からの検出結果に基づいて、外部メモリ５の検出を行う。外部メモリ５が検出された場合（Ｙ）には、ステップＳ３に移行し、外部メモリ５が検出されない場合（Ｎ）には、ステップＳ４に移行する。
【００４３】
ステップＳ３において、ＣＰＵ６０は、複合チップ６１へのバスアクセスのアクセス速度を外部メモリ５との通信速度（低速）に切り替えて、ステップＳ７に移行する。
【００４４】
ステップＳ４において、ＣＰＵ６０は、複合チップ６１へのバスアクセスの待ち状態に移行する。複合チップ６１へのバスアクセスが行われた場合には、ステップＳ４が開始される。なお、ステップＳ４の詳細な動作処理については後述する。
【００４５】
ステップＳ５において、ＣＰＵ６０は、検出部６００により、外部メモリ５の検出を行う。外部メモリ５が検出されない場合（Ｎ）には、ステップＳ６に移行し、外部メモリ５が検出された場合（Ｙ）には、ステップＳ７に移行する。
【００４６】
ステップＳ６において、ＣＰＵ６０は、複合チップ６１へのバスアクセスの速度を赤外線通信装置に対応する速度に切り替えて、ステップＳ４へ移行する。
【００４７】
ステップＳ７において、ＣＰＵ６０は、複合チップ６１へのバスアクセスの待ち状態に移行する。複合チップ６１へのバスアクセスが行われた場合には、ステップＳ７が開始される。なお、ステップＳ７の詳細な動作処理については後述する。
【００４８】
ステップＳ８において、ＣＰＵ６０は、検出部６００により、外部メモリ５の検出を行う。外部メモリ５が検出されない場合（Ｎ）には、ステップＳ２に移行し、外部メモリ５が検出された場合（Ｙ）には、ステップＳ９に移行する。
【００４９】
ステップＳ９において、ＣＰＵ６０は、複合チップ６１へのバスアクセスの速度を外部メモリ５に対応する速度に切り替えて、ステップＳ７へ移行する。なお、ステップＳ９において、ステップＳ７に移行するように構成したが、これに限られない。携帯電話装置１は、初期設定から異なる通信速度に切り替わった場合においても、所定時間の経過後に、再度初期設定に切り替えるように構成される。具体的には、ステップＳ９からステップＳ１に移行するように構成しても良い。この際、使用頻度の高い通信先を初期設定の通信先の設定することにより、利便性を低下させることなく携帯電話装置を使用することができる。
【００５０】
ここで、ステップＳ４の動作処理について、詳述する。ステップＳ４は、複合チップ６１へのバスアクセスが行われた場合には、ステップＳ４１に移行する。以下、図４を参照して説明する。図４は、図３のステップＳ４における複合チップ６１へのバスアクセスを示すフローチャートである。
【００５１】
ステップＳ４１において、ＣＰＵ６０は、複合チップ６１へのバスアクセスが開始される。この際、ＣＰＵ６０は、通信速度の設定が赤外線通信装置に対応する速度（中速）の設定になっている。このため、ＣＰＵ６０は、赤外線通信装置に好適な速度である中速で外部機器との通信を行うことができる。
【００５２】
ステップＳ４２において、ＣＰＵ６０は、検出部６００により、複合チップ６１へのバスアクセス中に外部メモリ５の検出を行う。外部メモリ５が検出された場合（Ｙ）には、ステップＳ４３に移行し、外部メモリ５が検出されない場合（Ｎ）には、ステップＳ４４に移行する。
【００５３】
ステップＳ４３において、ＣＰＵ６０は、複合チップ６１へのバスアクセスの終了を待つ。そして、ＣＰＵ６０は、複合チップへのバスアクセスが終了したら、ステップＳ４５へ移行する。
【００５４】
ステップＳ４４において、ＣＰＵ６０は、複合チップ６１へのバスアクセスの終了を待つ。そして、ＣＰＵ６０は、複合チップへのバスアクセスが終了したら、ステップＳ２へ移行する。
【００５５】
ステップＳ４５において、ＣＰＵ６０は、複合チップ６１へのバスアクセスの速度を外部メモリ５の通信速度に対応した速度に切り替えて、ステップＳ５に移行する。
【００５６】
また、ステップＳ７の動作処理について、詳述する。ステップＳ７は、複合チップ６１へのバスアクセスが行われた場合には、ステップＳ７１に移行する。以下、図５を参照して説明する。図５は、図３のステップＳ７における複合チップ６１へのバスアクセスを示すフローチャートである。
【００５７】
ステップＳ７１において、ＣＰＵ６０は、複合チップ６１へのバスアクセスが開始される。この際、ＣＰＵ６０は、通信速度の設定が外部メモリ５に対応する速度（中速）の設定になっている。このため、ＣＰＵ６０は、外部メモリ５と通信を行うことができる。
【００５８】
ステップＳ７２において、ＣＰＵ６０は、検出部６００により、複合チップ６１へのバスアクセス中に外部メモリ５の検出を行う。外部メモリ５が検出された場合（Ｙ）には、ステップＳ７３に移行し、外部メモリ５が検出されない場合（Ｎ）には、ステップＳ７４に移行する。
【００５９】
ステップＳ７３において、ＣＰＵ６０は、複合チップ６１へのバスアクセスの終了を待つ。そして、ＣＰＵ６０は、複合チップへのバスアクセスが終了したら、ステップＳ５へ移行する。
【００６０】
ステップＳ７４において、ＣＰＵ６０は、複合チップ６１へのバスアクセスの終了を待つ。そして、ＣＰＵ６０は、複合チップへのバスアクセスが終了したら、ステップＳ７５に移行する。
【００６１】
ステップＳ７５において、ＣＰＵ６０は、複合チップ６１へのバスアクセスの速度を赤外線通信装置の通信速度に対応した速度に切り替えて、ステップＳ２に移行する。
【００６２】
このようにして、携帯電話装置１は、高品質な通信性能を発揮することができる。
【００６３】
以上、本発明に係る携帯電話装置１の好適な実施形態について説明したが、本発明に係る携帯電話装置は、上述した実施形態に限定されることなく種々の形態で実施することができる。
【００６４】
なお、本発明は、携帯電話装置１を一例として説明したが、ＰＨＳ（登録商標：Ｐａｓｏｎａｌ  Ｈａｎｄｙｐｈｏｎｅ  Ｓｙｓｔｅｍ）や、通信機能を有するポータブルゲーム機や、ポータブルナビゲーション機や、ＰＤＡ（Ｐｅｒｓｏｎａｌ  Ｄａｔａ  Ａｓｓｉｓｔａｎｃｅ）や、ノートパソコンや、操作部８を備えるＥＬディスプレイ・液晶ディスプレイや、モバイル機器や携帯用防犯ブザー機等の通信機器にも適当可能である。
【符号の説明】
【００６５】
１        携帯電話装置（通信機器）
５        外部メモリ（第２の通信先）
２４      外部メモリスロット（装着部）
６０      ＣＰＵ（制御部）
６１０    データ処理部（第２の通信部）
６１１    赤外線処理部（第１の通信部、第２の通信部）
６１２    ＬＣＤＣ（第１の通信部）
【図１】
2010278687.tif 000003
【図２】
2010278687.tif 000004
【図３】
2010278687.tif 000005
【図４】
2010278687.tif 000006
【図５】
2010278687.tif 000007